【手続補正書】
【提出日】平成29年8月28日(2017.8.28)
【手続補正１】
【補正対象書類名】特許請求の範囲
【補正対象項目名】全文
【補正方法】変更
【補正の内容】
【特許請求の範囲】
【請求項１】
電子トランザクションまたはプロセスを実行するネットワーク・システムであって，
（ａ）上記電子トランザクションまたはプロセスの実行のための指示を生成するように動作可能な端末装置，
（ｂ）上記端末装置から離れており，かつ上記電子トランザクションまたはプロセスを実行するように動作可能なコンピュータ手段，
（ｃ）それぞれがセルラー通信モデムおよび生体センサを備え，それぞれが，登録処理において第１の生体データを記憶し，上記モデムによって受信される照合コマンドに応答して照合処理を実行し，上記照合処理の結果に依存する応答信号を，所定の宛先に上記モデムによって送信するように構成される，複数の照合装置，
（ｄ）上記複数の照合装置を識別するデータを記憶するように構成されるデータベース手段，
（ｅ）照合コマンドを生成する手段，ならびに
（ｆ）上記応答信号を受信する手段，
を備え，
（ｇ）上記端末装置が，上記照合装置とは無関係に，上記指示を生成しかつ上記指示を通信ネットワークを介して上記遠隔コンピュータ手段に送信するように動作可能であり，
（ｈ）上記遠隔コンピュータ手段が，上記指示の受信に応答して，上記照合コマンド生成手段に上記照合コマンドを生成させるように動作可能であり，
（ｉ）上記照合コマンド生成手段が，上記指示内のデータおよび上記データベース内のデータに基づいてその身元が決定される上記照合装置に上記照合コマンドが送信されるように動作可能であり，
（ｊ）上記照合装置によって実行される照合処理が，上記生体センサから第２の生体データを取得すること，上記第１および第２の生体データを互いに比較すること，上記第１および第２の生体データがマッチングするときに，上記マッチングを示す上記応答信号を生成し，上記応答信号を上記受信手段に送信することを含み，
（ｋ）上記遠隔コンピュータ手段が，上記マッチングを示す上記応答信号が上記受信手段によって受信されないときに上記トランザクションを実行しないように構成されており，
（ｌ）上記端末装置とは無関係に，セルラー通信ネットワークを介して，上記照合コマンドが上記照合装置に送信され，かつ上記応答信号が上記受信手段に送信される，
ネットワーク・システム。
【請求項２】
上記照合コマンドとともにシステム・パスワードを送信する手段を備え，各照合装置が，システム・パスワードを記憶するように構成されており，かつ上記記憶されたシステム・パスワードが上記コマンドとともに受信されるシステム・パスワードに対応する場合にだけ上記照合処理を実行するように構成されている，請求項１に記載のシステム。
【請求項３】
それぞれが，異なる電子トランザクションまたはプロセスにそれぞれ関連づけられており，かつそれぞれが上記照合コマンドとともに送信される複数のシステム・パスワードを記憶する手段を含み，各照合装置が複数のシステム・パスワードを記憶するように構成されており，かつ上記記憶されているシステム・パスワードの一つが，上記照合コマンドとともに受信されるシステム・パスワードに対応する場合にだけ上記照合処理を実行するように構成されている，請求項１に記載のシステム。
【請求項４】
各照合装置が応答パスワードを記憶するように構成されており，かつ上記応答パスワードを上記応答信号中に含ませるように動作可能である，請求項１から３のいずれかに記載のシステム。
【請求項５】
各照合装置が複数の応答パスワードを記憶するように構成されており，かつ複数の応答パスワードのうちの選択される一つを上記応答信号中に含ませるように動作可能であり，
上記選択される応答パスワードが上記照合コマンドの発信元に依存するものである，請求項１から３のいずれかに記載のシステム。
【請求項６】
上記生体センサが指紋センサであり，上記第１および第２の生体データがそれぞれ第１および第２の指紋識別データである。請求項１から５のいずれかに記載のシステム。
【請求項７】
各照合装置が，
（ａ）複数の上記第１の指紋識別データを記憶するように構成されており，
（ｂ）それぞれ異なる登録処理において，それぞれ異なる指に関する第１の指紋識別データを記憶することができるように複数の上記登録処理を実行するように動作可能であり，
（ｂ）上記照合処理において，上記第２の指紋識別データが，上記異なる指に関する複数の記憶された第１の指紋識別データと比較されるように動作可能である，
請求項６に記載のシステム。
【請求項８】
各照合装置が，
（ａ）上記照合装置に記憶された上記複数のシステム・パスワードのそれぞれ異なるものと，上記複数の記憶された第１の指紋識別データのそれぞれ異なるものとを関連づけるように構成されており，
（ｉ）上記受信したシステム・パスワードが上記照合装置内に記憶された複数のシステム・パスワードの一つに対応し，かつ
（ｉｉ）上記照合処理において取得される上記第２の指紋識別データが，上記一つのシステム・パスワードに関連づけられた上記記憶された第１の指紋識別データとマッチングする，
（ｂ）その場合にだけ上記応答信号を生成するように動作可能である，
請求項３に従属する請求項７に記載のシステム。
【請求項９】
各照合装置が，複数の応答パスワードを記憶するように構成されており，そのそれぞれが上記システム・パスワードのそれぞれに関連づけられており，上記応答信号中に上記関連づけられた応答パスワードを含むように動作可能である，
請求項８に記載のシステム。
【請求項１０】
（ａ）上記登録処理が，
（ｉ）指から第１の指紋テンプレートを導出し，
（ｉｉ）上記第１の指紋テンプレートを，上記第１の指紋テンプレートを隠すための他のデータ値も含むメモリ内に非暗号化形態で記憶し，
（ｉｉｉ）上記第１の指紋テンプレートから暗号化鍵を導出し，
（ｉｖ）上記暗号化鍵を利用する暗号化アルゴリズムによって情報項目を暗号化し，
（ｖ）上記暗号化された情報項目を記憶することを含み，
（ｂ）上記照合処理が，
（ｉ）指から第２の指紋テンプレートを導出し，
（ｉｉ）上記第２の指紋テンプレートを上記記憶された第１の指紋テンプレートとマッチングするマッチング処理を実行し，
（ｉｉｉ）上記マッチング処理が成功した場合に，上記第１の指紋テンプレートから上記暗号化鍵を再生成し，
（ｉｖ）上記再生成された暗号化鍵を利用して上記暗号化された情報項目を復号することを含む，
請求項６から９のいずれかに記載のシステム。
【請求項１１】
上記情報項目が非暗号化テンプレートを含む，請求項１０に記載のシステム。
【請求項１２】
上記情報項目が上記システム・パスワードまたは各システム・パスワードを含む，請求項６もしくは７に従属し次に請求項２もしくは３に従属する請求項１０もしくは１１に記載のシステム，または請求項８もしくは９に従属する請求項１０もしくは１１に記載のシステム。
【請求項１３】
上記情報項目が上記応答パスワードまたは各応答パスワードを含む，請求項６もしくは７に従属し次に請求項４もしくは５に従属する請求項１０もしくは１１に記載のシステム，または請求項９に従属する請求項１０もしくは１１に記載のシステム。
【請求項１４】
上記情報項目または各情報項目が，上記システムまたは応答パスワードに加えてさらなる情報を含む，請求項１１から１３のいずれかに記載のシステム。
【請求項１５】
上記他のデータ値が乱数または擬似乱数から構成される，請求項１０から１４のいずれかに記載のシステム。
【請求項１６】
上記第１の指紋テンプレートまたは各第１の指紋テンプレートが複数のコンポーネントに分割され，これらが上記メモリの異なる位置に記憶されている，請求項１０から１５のいずれかに記載のシステム。
【請求項１７】
一または複数の上記端末が，スマートカードに関連する電子トランザクションまたはプロセスを開始するカード・リーダを備えている，請求項１から１６のいずれかに記載のシステム。
【請求項１８】
一または複数の上記端末が，電気的にタグを読み取りかつ電子トランザクションまたはプロセスを開始するタグ・リーダを備えている，請求項１から１７のいずれかに記載のシステム。
【請求項１９】
一または複数の上記端末が，スマートカードに関するデータの上記端末への入力に応答して，上記電子トランザクションまたはプロセスを開始するように構成されている，請求項１から１８のいずれかに記載のシステム。
【請求項２０】
各照合装置が，生体センサに結合されて生体センサからの信号を処理するデジタル信号処理装置を含み，上記モデムが，上記照合コマンドの受信に応答して生体スキャンを実行するために上記デジタル信号処理装置を起動するように動作可能である，請求項１から１９のいずれかに記載のシステム。
【請求項２１】
各照合コマンドがＳＭＳテキスト・メッセージ中にある，請求項１から２０のいずれかに記載のシステム。
【請求項２２】
各応答信号がＳＭＳテキスト・メッセージ中にある，請求項１から２１のいずれかに記載のシステム。
【請求項２３】
それぞれがカードの形態によって構成される複数の照合装置を有している，請求項１から２２のいずれかに記載のシステム。
【請求項２４】
上記カードの寸法が１００ｍｍ×６０ｍｍ×５ｍｍ以下である，請求項２３に記載のシステム。
【請求項２５】
上記カードの寸法が８５ｍｍ×５４ｍｍ×３．５ｍｍである，請求項２４に記載のシステム。
【請求項２６】
上記カードが，電流ブースターを含む電源供給回路を有しており，上記電流ブースターが，上記モデムによる基地局の検索に応答して動作可能となり，かつ上記モデムが基地局と通信しているときに動作不能になるものであり，これにより基地局を検索するときに追加電流が上記モデムに供給される，請求項２２から２５のいずれかに記載のシステム。
【請求項２７】
上記モデムが，上記モデムが基地局を検索しているかまたは基地局と通信しているかに依存して電圧が変化するステータス・コンタクトを有しており，上記モデム内の検知回路が，上記ステータス・コンタクト上の電圧を検知するように動作可能であり，かつ上記検知された電圧に依存して上記電流ブースターを動作可能または動作不能とするものである，請求項２６に記載のシステム。
【請求項２８】
上記電流ブースターが上記ステータス・コンタクトから給電される，請求項２７に記載のシステム。
【請求項２９】
上記電流ブースターが電圧変換器を備えている，請求項２６から２８のいずれかに記載のシステム。
【請求項３０】
上記照合装置を給電するための電池を含み，上記電池が約３．２Ｖまたは３．５Ｖおよび２００ｍＡ時の容量を有している，請求項２６から２９のいずれかに記載のシステム。
【請求項３１】
スマートフォンまたはタブレット・コンピュータの形態の上記照合装置を含む，請求項１から３０のいずれかに記載のシステム。
【請求項３２】
電子トランザクションまたはプロセスの実行のための指示を生成する電子トランザクション装置に応答する端末装置と協働する電子トランザクション装置を利用して実行される電子トランザクションまたはプロセスを承認する方法であって，
（ａ）生体センサを備えかつそこに記憶された第１の生体データを有する照合装置において照合コマンドを受信し，上記照合装置が上記トランザクション装置および上記端末と別体のものであり，上記照合コマンドが上記端末および上記トランザクション装置とは無関係の通信ネットワークを通じて受信され，
（ｂ）上記照合コマンドの受信に応答して，上記照合装置によって認証処理を実行し，上記認証処理が，上記生体センサから第２の生体データを取得しかつ上記第１および第２の生体データを互いに比較することを含み，
（ｃ）上記第１および第２の生体データがマッチングしたときに，上記照合装置が上記マッチングを示す応答信号を生成し，かつ上記トランザクション装置および上記端末とは無関係に，上記応答信号を上記トランザクションまたはプロセスを承認する所定の宛先に送信する，
方法。
【請求項３３】
上記照合コマンドが，セルラー無線通信ネットワークを介して上記照合装置によって上記照合装置のセルラー無線通信モデムにおいて受信される，請求項３２に記載の方法。
【請求項３４】
上記照合コマンドとともにシステム・パスワードが上記照合装置によって受信され，上記照合装置に記憶されているシステム・パスワードが上記コマンドとともに受信されるシステム・パスワードに対応する場合にだけ，上記照合装置が上記応答信号を生成する，請求項３２に記載の方法。
【請求項３５】
上記照合装置が上記応答信号中に応答パスワードを含める，請求項３４に記載の方法。
【請求項３６】
上記生体センサが指紋センサであり，上記第１および第２の生体データがそれぞれ第１および第２の指紋識別データである，請求項３２に記載の方法。
【請求項３７】
上記照合コマンドがＳＭＳテキスト・メッセージ中にある，請求項３３に記載の方法。
【請求項３８】
上記応答信号が上記セルラー無線通信ネットワークを通じて送信されるＳＭＳテキスト・メッセージ中にある，請求項３３に記載の方法。